(57)【要約】【課題】ユーザの手間を増やすことのなくチケットの予約，更新，発券することが可能なチケット発券システム等を提供する。【解決手段】情報の読み出し／書き込みが可能な情報記録部を備え，情報記録部には予めマイレージ番号と関連付けられたクレジット番号が記録されたカードと，マイレージ番号に基づいてチケット予約を受け付けるとともに，カードからクレジット番号を読み出して，クレジット番号を認証し，クレジット番号とマイレージ番号とを関連付けてチケット予約を行うチケット予約端末と，マイレージ番号とクレジット番号とを関連付けてチケット予約情報を管理するチケット予約管理サーバと，カードからクレジット番号を読み出し，クレジット番号に関連付けられたチケット予約情報を予約管理サーバに照会し，チケット発券を行うチェックイン端末と，から成る。【選択図】  図１
2004265084.tif 000002
【特許請求の範囲】
【請求項１】
情報の読み出し／書き込みが可能な情報記録部を備え，前記情報記録部には予めマイレージ番号と関連付けられたクレジットカード番号が記録されたカードと，
前記マイレージ番号に基づいてチケット予約を受け付けるとともに，前記カードから少なくとも前記クレジットカード番号を読み出して，前記クレジットカード番号を認証し，前記クレジットカード番号と前記マイレージ番号とを関連付けてチケット予約を行うチケット予約端末と，
前記マイレージ番号と前記クレジットカード番号とを関連付けてチケット予約情報を管理するチケット予約管理サーバと，
前記カードから少なくとも前記クレジットカード番号を読み出し，前記クレジットカード番号に関連付けられたチケット予約情報を前記予約管理サーバに照会し，チケット発券を行うチェックイン端末と，
から成ることを特徴とするチケット発券システム。
【請求項２】
前記チケット予約端末は，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新することが可能であることを特徴とする，請求項１に記載のチケット発券システム。
【請求項３】
前記カードは，書き換え可能な情報表示機能部を備えており，前記チェックイン端末は，前記情報表示機能部に印字を行うことによりチケット発券を行うことを特徴とする，請求項１に記載のチケット発券システム。
【請求項４】
前記カードは，前記マイレージ番号が記録されたマイレージカードであることを特徴とする，請求項１に記載のチケット発券システム。
【請求項５】
マイレージ番号に基づいてチケット予約を受け付けるチケット予約入力部と，情報の読み出し／書き込みが可能な情報記録部を備え前記情報記録部には予め前記マイレージ番号と関連付けられたクレジットカード番号が記録されたカードから少なくとも前記クレジットカード番号を読み出すリーダ部と，前記クレジットカード番号を認証する認証部と，前記クレジットカード番号と前記マイレージ番号とを関連付けて管理するチケット予約管理サーバに対してチケット予約を行うチケット予約実行部とを備えたことを特徴とする，チケット予約端末。
【請求項６】
前記チケット予約端末は，前記カードから少なくとも前記クレジットカード番号を読み出し，前記クレジットカード番号に関連付けられたチケット予約情報を前記予約管理サーバに照会し，チケット予約情報の変更を受け付けた場合には，前記チケット予約管理サーバにおいて管理されているチケット予約情報を更新することが可能であることを特徴とする，請求項５に記載のチケット予約端末。
【請求項７】
コンピュータをして，
マイレージ番号に基づいてチケット予約を受け付けるとともに，情報の読み出し／書き込みが可能な情報記録部を備え前記情報記録部には予め前記マイレージ番号と関連付けられたクレジットカード番号が記録されたカードから少なくとも前記クレジットカード番号を読み出し，前記クレジットカード番号を認証し，前記クレジットカード番号と前記マイレージ番号とを関連付けて管理するチケット予約管理サーバに対してチケット予約を行うチケット予約端末として機能せしめることを特徴とするプログラム。
【請求項８】
さらに，前記チケット予約端末をして，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するように機能せしめることを特徴とする，請求項７に記載のプログラム。
【請求項９】
コンピュータをして，マイレージ番号に基づいてチケット予約を受け付けるとともに，情報の読み出し／書き込みが可能な情報記録部を備え前記情報記録部には予め前記マイレージ番号と関連付けられたクレジットカード番号が記録されたカードから少なくとも前記クレジットカード番号を読み出し，前記クレジットカード番号を認証し，前記クレジットカード番号と前記マイレージ番号とを関連付けて管理するチケット予約管理サーバに対してチケット予約を行うチケット予約端末として機能せしめることを特徴とするプログラムが記録されたコンピュータ読み取り可能な記録媒体。
【請求項１０】
さらに，前記チケット予約端末をして，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するように機能せしめることを特徴とするプログラムが記録された請求項９に記載のコンピュータ読み取り可能な記録媒体。
【請求項１１】
予めマイレージ番号とクレジットカード番号とを関連付けて管理するとともに，前記マイレージ番号に基づいてチケット予約情報を管理しており，予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可することを特徴とする，チケット予約管理サーバ。
【請求項１２】
前記チェックイン端末から取得した前記クレジットカード番号に基づいて対応する前記マイレージ番号を参照してチケット予約の更新を行うことを特徴とする，請求項１１に記載のチケット予約管理サーバ。
【請求項１３】
コンピュータをして，予めマイレージ番号とクレジットカード番号とを関連付けて管理するとともに，前記マイレージ番号に基づいてチケット予約情報を管理しており，チケット予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可するチケット予約管理サーバとして機能せしめることを特徴とするプログラム。
【請求項１４】
前記チケット予約管理サーバをして，前記チェックイン端末から取得した前記クレジットカード番号に基づいて対応する前記マイレージ番号を参照してチケット予約の更新を行うように機能せしめることを特徴とする，請求項１３に記載のプログラム。
【請求項１５】
コンピュータをして，予めマイレージ番号とクレジットカード番号とを関連付けて管理するとともに，前記マイレージ番号に基づいてチケット予約情報を管理しており，予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可するチケット予約管理サーバとして機能せしめることを特徴とするプログラムが記録されたコンピュータ読み取り可能な記録媒体。
【請求項１６】
前記チケット予約管理サーバをして，前記チェックイン端末から取得した前記クレジットカード番号に基づいて対応する前記マイレージ番号を参照してチケット予約の更新を行うように機能せしめることを特徴とするプログラムが記録された，請求項１５に記載のコンピュータ読み取り可能な記録媒体。
【請求項１７】
情報の読み出し／書き込みが可能な情報記録部を備え前記情報記録部には予めマイレージ番号と関連付けられたクレジットカード番号が記録されたカードから少なくとも前記クレジットカード番号を読み出すリーダ部と，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会するチケット予約情報照会部と，照会した前記チケット予約情報に基づいてチケット発券を行うチケット発券部とを備えたことを特徴とする，チェックイン端末。
【請求項１８】
前記カードは，書き換え可能な情報表示機能部を備えており，前記チェックイン端末は，前記情報表示機能部に印字を行うことによりチケット発券を行う印字部を備えていることを特徴とする，請求項１７に記載のチェックイン端末。
【請求項１９】
コンピュータをして，情報の読み出し／書き込みが可能な情報記録部を備え前記情報記録部には予めマイレージ番号と関連付けられたクレジットカード番号が記録されたカードから少なくとも前記クレジットカード番号を読み出し，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会し，照会した前記チケット予約情報に基づいてチケット発券を行うチェックイン端末として機能せしめることを特徴とするプログラムが記録されたコンピュータ読み取り可能な記録媒体。
【請求項２０】
コンピュータをして，情報の読み出し／書き込みが可能な情報記録部を備え前記情報記録部には予めマイレージ番号と関連付けられたクレジットカード番号が記録されたカードから少なくとも前記クレジットカード番号を読み出し，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会し，照会した前記チケット予約情報に基づいてチケット発券を行うチェックイン端末として機能せしめることを特徴とするプログラムが記録されたコンピュータ読み取り可能な記憶媒体。
【請求項２１】
情報の読み出し／書き込みが可能な情報記録部を備え，前記情報記録部には予めマイレージ番号と関連付けられたクレジットカード番号が記録されたカードを利用したチケット発券方法であって：
前記マイレージ番号に基づいてチケット予約を受け付けるとともに，前記カードから少なくとも前記クレジットカード番号を読み出して，前記クレジットカード番号を認証し，前記クレジットカード番号と前記マイレージ番号とを関連付けてチケット予約を行うチケット予約工程と；
前記マイレージ番号と前記クレジットカード番号とを関連付けてチケット予約情報を管理するチケット予約管理工程と；
前記カードから少なくとも前記クレジットカード番号を読み出し，前記クレジットカード番号に関連付けられたチケット予約情報を前記予約管理サーバに照会し，チケット発券を行うチェックイン工程と；
から成ることを特徴とするチケット発券方法。
【請求項２２】
前記チケット予約工程は，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するチケット予約情報更新工程をさらに含むことを特徴とする，請求項２１に記載のチケット発券方法。
【請求項２３】
前記カードは，書き換え可能な情報表示機能部を備えており，前記チェックイン工程は，前記情報表示機能部に印字を行うことによりチケット発券を行うことを特徴とする，請求項２２に記載のチケット発券方法。
【発明の詳細な説明】
【０００１】
【発明の属する技術分野】
本発明は，チケット予約端末，チケット予約管理サーバ，チェックイン端末，プログラム，記録媒体およびチケット発券方法等に関する。
【０００２】
【従来の技術】
従来，紙ベースではなく，チケット情報をＩＣカード等の情報記録媒体に保管し，この情報記録媒体を紙のチケットの変わりにする電子チケットシステムや，この情報記録媒体を予約した本人であることを示す証拠として用い，最終的に紙チケットを発券する電子チケットシステムが提案されている。
【０００３】
かかる電子チケットシステムは，特開２０００一１１３２２８号公報や特開２００１一８４３１１号公報に開示されている。これらの公報に記載された技術は，ＰＣ（パーソナルコンピュータ）あるいは情報端末を用いてユーザが予約サーバと交信して予約動作を行い，予約完了に伴ってチケット情報（予約日時，座席情報など）をＲ／Ｗ（リーダ／ライタ）を介してＩＣカード内に保管する。
【０００４】
なお，特開２００１一８４３１１号公報に記載の発明では，ＩＣカード付きの情報端末を用いているので，チケット情報は直接情報端末内に保管される。そして，紙チケットを用いてコンサート会場に入場する場合は，チケット発行機にＩＣカード内の情報を読み取らせ，ＩＣカード内のチケット情報を用いて紙チケットを発券する。また，紙チケットによらずＩＣカードにより直接コンサート会場の入場改札を行う場合には，ＩＣカード機能付の情報端末から赤外線通信によりチケット情報を改札側に飛ばし，このチケット情報により入場の有無を判定する。
【０００５】
【特許許文献１】
特開２０００一１１３２３８号公報
【０００６】
【特許文献２】
特開２００１一８４３１１号公報
【０００７】
【発明が解決しようとする課題】
しかしながら，従来の電子チケットシステムを例えば航空券発券システムに適用した場合には，航空券のチケット予約情報は，頻繁に変更され，しかもフライト直前まで変更可能であるので，チケット予約情報を変更するたびに，ＩＣカード内のチケット情報を書き換えていたのでは，システム運用上およびユーザの手間を増やすことになりかねない。
【０００８】
したがって，本発明の目的は，上記従来の問題点を解決し，ユーザの手間を増やすことなくチケットを予約，更新及び発券することが可能なチケット発券システム等を提供することにある。
【０００９】
【課題を解決するための手段】
上記課題を解決するために，本発明の第１の観点によれば，情報の読み出し／書き込みが可能な情報記録部を備え，前記情報記録部には予めマイレージ番号と関連付けられたクレジットカード番号が記録されたカードと，前記マイレージ番号に基づいてチケット予約を受け付けるとともに，前記カードから少なくとも前記クレジットカード番号を読み出して，前記クレジットカード番号を認証し，前記クレジットカード番号と前記マイレージ番号とを関連付けてチケット予約を行うチケット予約端末と，前記マイレージ番号と前記クレジットカード番号とを関連付けてチケット予約情報を管理するチケット予約管理サーバと，前記カードから少なくとも前記クレジットカード番号を読み出し，前記クレジットカード番号に関連付けられたチケット予約情報を前記予約管理サーバに照会し，チケット発券を行うチェックイン端末と，から成ることを特徴とするチケット発券システムが提供される。
【００１０】
上記記載の発明では，チケット予約情報がサーバ側に保持されているので，ＩＣカード内の情報を書き換えずに，クレジットカード番号のみを使用して（マイレージ番号を読み取ることなく）チケットの予約ができ，さらに，予約したチケットの発券をおこなうことができる。このように，ユーザの手間を増やすことのないチケット発券システムを提供することができる。さらに，クレジットカード番号が取得されるので，一枚のカードでチケットの予約及び発券することが出来ると共に，チケット代金の決済が可能となり，ユーザの手間がさらに軽減される。
【００１１】
また，前記チケット予約端末は，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新することが可能である，如く構成すれば，チケット予約情報がサーバ側に保持されているので，例えば航空券のチケット予約情報が，頻繁に変更され，あるいはフライト直前に変更された場合であっても，ＩＣカード内の情報が書き換えられることはない。この結果，ユーザ手間を増やすことなく，簡易かつ合理的にチケット予約の変更をすることができる。特に，マイルポイントが積算される場合にその効果が大きい。
【００１２】
また，前記カードは，書き換え可能な情報表示機能部を備えており，前記チェックイン端末は，前記情報表示機能部に印字を行うことによりチケット発券を行う，如く構成すれば，カード自体がチケットして発券されるのでカードを有効利用することができる。
【００１３】
また，前記カードは，前記マイレージ番号が記録されたマイレージカードである，如く構成すれば，航空券予約データの頻繁な変更に対応して，マイルポイントを有効に管理することができる。
【００１４】
上記課題を解決するため，本発明の第２の観点においては，マイレージ番号に基づいてチケット予約を受け付けるチケット予約入力部と，情報の読み出し／書き込みが可能な情報記録部を備え前記情報記録部には予め前記マイレージ番号と関連付けられたクレジットカード番号が記録されたカードから少なくとも前記クレジットカード番号を読み出すリーダ部と，前記クレジットカード番号を認証する認証部と，前記クレジットカード番号と前記マイレージ番号とを関連付けて管理するチケット予約管理サーバに対してチケット予約を行うチケット予約実行部とを備えたことを特徴とする，チケット予約端末が提供される。
【００１５】
上記記載の発明では，ＩＣカード内の情報を書き換えずに，クレジットカード番号のみを使用して（マイレージ番号を読み込むことなく）チケットを予約することが可能なチケット予約端末を提供することができる。このように，ユーザの手間を増やすことなくチケット予約をおこなうことができる。さらに，取得したクレジットカード番号によりチケット代金の決済が可能なので，ユーザの手間がさらに軽減される。
【００１６】
また，前記チケット予約端末は，前記カードから少なくとも前記クレジットカード番号を読み出し，前記クレジットカード番号に関連付けられたチケット予約情報を前記予約管理サーバに照会し，チケット予約情報の変更を受け付けた場合には，前記チケット予約管理サーバにおいて管理されているチケット予約情報を更新することが可能である，如く構成すれば，例えば航空券のチケット予約情報が，頻繁に変更され，あるいはフライト直前に変更された場合であっても，ＩＣカード内の情報が書き換えられることはない。この結果，ユーザ手間を増やすことなく，簡易かつ合理的にチケット予約の変更をすることが可能なチケット予約端末を提供することができる。特に，マイルポイントが積算される場合にその効果が大きい。
【００１７】
また，上記課題を解決するため，本発明の第３の観点においては，コンピュータをして，マイレージ番号に基づいてチケット予約を受け付けるとともに，情報の読み出し／書き込みが可能な情報記録部を備え前記情報記録部には予め前記マイレージ番号と関連付けられたクレジットカード番号が記録されたカードから少なくとも前記クレジットカード番号を読み出し，前記クレジットカード番号を認証し，前記クレジットカード番号と前記マイレージ番号とを関連付けて管理するチケット予約管理サーバに対してチケット予約を行うチケット予約端末として機能せしめることを特徴とするプログラムが提供される。
【００１８】
また，さらに，前記チケット予約端末をして，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するように機能せしめる，如く構成することができる。
【００１９】
また，上記課題を解決するため，本発明の第４の観点においては，コンピュータをして，マイレージ番号に基づいてチケット予約を受け付けるとともに，情報の読み出し／書き込みが可能な情報記録部を備え前記情報記録部には予め前記マイレージ番号と関連付けられたクレジットカード番号が記録されたカードから少なくとも前記クレジットカード番号を読み出し，前記クレジットカード番号を認証し，前記クレジットカード番号と前記マイレージ番号とを関連付けて管理するチケット予約管理サーバに対してチケット予約を行うチケット予約端末として機能せしめることを特徴とするプログラムが記録されたコンピュータ読み取り可能な記録媒体が提供される。
【００２０】
また，さらに，前記チケット予約端末をして，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するように機能せしめる，如く構成することができる。
【００２１】
上記課題を解決するため，本発明の第５の観点においては，予めマイレージ番号とクレジットカード増青報とを関連付けて管理するとともに，前記マイレージ番号に基づいてチケット予約情報を管理しており，予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可することを特徴とする，チケット予約管理サーバが提供される。
【００２２】
上記記載の発明では，チケット予約管理サーバがチケット予約情報を保持しているので，ＩＣカード内の情報を書き換えずに，クレジットカード番号のみを使用して（マイレージ番号を読み込むことなく）チケットを予約することが可能なチケット予約管理サーバを提供することができる。このように，ユーザの手間を増やすことなくチケット予約及び発券をおこなうためのサーバ装置が提供される。さらに，取得したクレジットカード番号によりチケット代金の決済が可能なので，ユーザの手間がさらに軽減される。
【００２３】
また，前記チェックイン端末から取得した前記クレジットカード番号に基づいて対応する前記マイレージ番号を参照してチケット予約の更新を行う，如く構成すれば，チケット予約管理サーバがチケット予約情報を保持しているので，例えば航空券のチケット予約情報が，頻繁に変更され，あるいはフライト直前に変更された場合であっても，ユーザ手間を増やすことなく，簡易かつ合理的にチケット予約の更新をすることができる。
【００２４】
上記課題を解決するため，本発明の第６の観点においては，コンピュータをして，予めマイレージ番号とクレジットカード番号とを関連付けて管理するとともに，前記マイレージ番号に基づいてチケット予約情報を管理しており，予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可するチケット予約管理サーバとして機能せしめることを特徴とするプログラムが提供される。
【００２５】
また，前記チケット予約管理サーバをして，前記チェックイン端末から取得した前記クレジットカード番号に基づいて対応する前記マイレージ番号を参照してチケット予約の更新を行うように機能せしめる，如く構成することができる。
【００２６】
また，上記課題を解決するため，本発明の第７の観点においては，コンピュータをして，予めマイレージ番号とクレジットカード番号とを関連付けて管理するとともに，前記マイレージ番号に基づいてチケット予約情報を管理しており，予約端末から取得した前記クレジットカード番号と前記マイレージ番号とを関連付けてチケット予約を行うとともに，チェックイン端末から取得した前記クレジットカード番号に基づいて対応する前記マイレージ番号を参照して前記チェックイン端末をしてチケットの発券を許可するチケット予約管理サーバとして機能せしめることを特徴とするプログラムが記録されたコンピュータ読み取り可能な記録媒体が提供される。
【００２７】
また，前記チケット予約管理サーバをして，前記チェックイン端末から取得した前記クレジットカード番号に基づいて対応する前記マイレージ番号を参照してチケット予約の更新を行うように機能せしめる，如く構成することができる。
【００２８】
上記課題を解決するため，本発明の第８の観点においては，情報の読み出し／書き込みが可能な情報記録部を備え前記情報記録部には予めマイレージ番号と関連付けられたクレジットカード番号が記録されたカードから少なくとも前記クレジットカード番号を読み出すリーダ部と，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会するチケット予約情報照会部と，照会した前記チケット予約情報に基づいてチケット発券を行うチケット発券部とを備えたことを特徴とする，チェックイン端末が提供される。
【００２９】
上記記載の発明では，チケット予約情報がサーバ側に保持されているので，ＩＣカード内の情報を書き換えずに，クレジットカード番号のみを使用して（マイレージ番号を読み込むことなく）チケットを発券することが可能なチェックイン端末を提供することができる。このように，ユーザの手間を増やすことなくチケット発券をおこなうことができる。
【００３０】
また，前記カードは，書き換え可能な情報表示機能部を備えており，前記チェックイン端末は，前記情報表示機能部に印字を行うことによりチケット発券を行う印字部を備えている，如く構成すれば，カード自体がチケットして発券されるのでカードを有効利用することができる。
【００３１】
また，上記課題を解決するため，本発明の第９の観点においては，コンピュータをして，情報の読み出し／書き込みが可能な情報記録部を備え前記情報記録部には予めマイレージ番号と関連付けられたクレジットカード番号が記録されたカードから少なくとも前記クレジットカード番号を読み出し，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会し，照会した前記チケット予約情報に基づいてチケット発券を行うチェックイン端末として機能せしめることを特徴とする，プログラムが提供される。
【００３２】
また，上記課題を解決するため，本発明の第１０の観点においては，コンピュータをして，情報の読み出し／書き込みが可能な情報記録部を備え前記情報記録部には予めマイレージ番号と関連付けられたクレジットカード番号が記録されたカードから少なくとも前記クレジットカード番号を読み出し，前記クレジットカード番号とマイレージ番号とを関連付けてチケット予約情報を管理する予約管理サーバに対して前記クレジットカード番号に基づいて対応する前記マイレージ番号に関連する前記チケット予約情報を照会し，照会した前記チケット予約情報に基づいてチケット発券を行うチェックイン端末として機能せしめることを特徴とするプログラムが記録されたコンピュータ読み取り可能な記憶媒体が提供される。
【００３３】
上記課題を解決するため，本発明の第１１の観点においては，情報の読み出し／書き込みが可能な情報記録部を備え，前記情報記録部には予めマイレージ番号と関連付けられたクレジットカード番号が記録されたカードを利用したチケット発券方法であって：前記マイレージ番号に基づいてチケット予約を受け付けるとともに，前記カードから少なくとも前記クレジットカード番号を読み出して，前記クレジットカード番号を認証し，前記クレジットカード番号と前記マイレージ番号とを関連付けてチケット予約を行うチケット予約工程と；前記マイレージ番号と前記クレジットカード番号とを関連付けてチケット予約情報を管理するチケット予約管理工程と；前記カードから少なくとも前記クレジットカード番号を読み出し，前記クレジットカード番号に関連付けられたチケット予約情報を前記予約管理サーバに照会し，チケット発券を行うチェックイン工程と；から成ることを特徴とするチケット発券方法が提供される。
【００３４】
上記記載の発明では，チケット予約情報がサーバ側に保持されているので，ＩＣカード内の情報を書き換えずに，クレジットカード番号のみを使用して（マイレージ番号を読み込むことなく）チケットの予約ができ，さらに，予約したチケットの発券をおこなうことができる。このように，ユーザの手間を増やすことのないチケット発券システムを提供することができる。さらに，クレジットカード番号が取得されるので，一枚のカードでチケットの予約及び発券することが出来ると共に，チケット代金の決済が可能となり，ユーザの手間がさらに軽減される。
【００３５】
また，前記チケット予約工程は，前記カードから少なくとも前記クレジットカード番号を読み出し，前記クレジットカード番号に関連付けられたチケット予約情報を前記チケット予約管理サーバに照会し，チケット予約情報の変更を受け付けた場合には，前記チケット予約管理サーバにおいて管理されているチケット予約情報を更新するチケット予約情報更新工程をさらに含む，如く構成すれば，チケット予約情報がサーバ側に保持されているので，例えば航空券のチケット予約情報が，頻繁に変更され，あるいはフライト直前に変更された場合であっても，ＩＣカード内の情報が書き換えられることはない。この結果，ユーザ手間を増やすことなく，簡易かつ合理的にチケット予約の変更をすることができる。特に，マイルポイントが積算される場合にその効果が大きい。
【００３６】
また，前記カードは，書き換え可能な情報表示機能部を備えており，前記チェックイン工程は，前記情報表示機能部に印字を行うことによりチケット発券を行う，如く構成すれば，カード自体がチケットして発券されるのでカードを有効利用することができる。
【００３７】
【発明の実施の形態】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３８】
（第１の実施の形態）
まず，図１に基づいて，本実施形態にかかるチケット発券システムの構成について説明する。なお，図１は，本実施形態にかかるチケット発券システムの構成を示すブロック図である。なお，以下では，カードのクレジットカード番号とマイレージ番号を関連付けたデータとして採用する例を説明するが，カードの電子マネーカード番号とマイレージ番号を関連付けたデータとして採用することもできる。
【００３９】
本実施形態にかかるチケット発券システムは，図１に示すように，チケット予約端末１００，チケット予約管理サーバ２００，チェックイン端末３００，外部サーバ４００などがネットワーク５００を介して接続されている。
【００４０】
なお，チケット予約端末１００は，マイレージ番号に基づいてチケット予約を受け付けるとともに，カードから少なくともクレジットカード番号を読み出して，クレジットカード番号を認証し，クレジットカード番号とマイレージ番号とを関連付けてチケット予約を行う端末装置である。また，チケット予約管理サーバ２００は，マイレージ番号とクレジットカード番号とを関連付けてチケット予約情報を管理するサーバ装置である。また，チェックイン端末３００は，カードからクレジットカード番号を読み出して，クレジットカード番号に関連付けられたチケット予約情報を予約管理サーバに照会し，チケット発券を行うサーバ装置である。
【００４１】
なお，クレジットカード番号とは，ユーザの所有するクレジットカードを特定するための番号である。なお，クレジットカード番号に対して，当該クレジット番号とは異なる独自番号（図示せず）が当該クレジットカード番号に関連付けられている場合には，かかる独自番号もクレジットカード番号に含まれるものである。以下では，説明の便宜上，クレジットカード番号を読み出して，対応するマイレージ番号を照会する例を挙げて説明するが，カードの独自番号が使用される場合には，カードから独自番号が読み出されて，独自番号を介してクレジットカード番号が特定されるものとなる。なお，独自番号を使用することにより，個人情報の流出の危険性をより低減することができる。
【００４２】
また，マイレージ番号とは，各航空会社が行っているマイレージサービスに加入している人が持つことのできるカード（マイレージカード）を特定する番号であり，マイレージサービスは，正式には総称ＦＦＰ（Ｆｒｅｑｕｅｎｔ  Ｆｌｙｅｒ  Ｐｒｏｇｒａｍ＝よく飛行機を利用する人のためのプログラム）のことをいう。かかるマイレージサービスは，利用した航空機の飛行距離１マイルに対し，例えば１ポイント（マイルポイント）が加算される。また，提携しているホテルやレンタカーや，提携しているクレジットカードを利用することによっても所定のポイントが加算される場合もある。かかるマイルポイントが所定ポイントたまると，マイルポイント数に応じて無料往復航空券がもらえるなどのサービスを受けることができる。
【００４３】
なお，外部サーバ４００は，上記サーバ装置以外の外部に接続されるサーバ装置であり，例えば，クレジットカード発行会社のサーバ装置などが含まれる。例えば，外部サーバ装置４００を，クレジットカード会員情報を保持するクレジットカード発行会社のサーバ装置とすれば，チケット予約管理サーバ２００の要求に応じて当該クレジットカード番号に対応するクレジットカードの与信処理を行うことができる。
【００４４】
次に，図２に基づいて，本実施形態にかかるチケット予約端末１００の構成について説明する。なお，図２は，本実施形態にかかるチケット予約端末１００の構成を示すブロック図である。なお，チケット予約端末１００は，マイレージ番号に基づいてチケット予約を受け付けるとともに，カードから少なくともクレジットカード番号を読み出して，クレジットカード番号を認証し，クレジットカード番号とマイレージ番号とを関連付けてチケット予約を行う端末装置である。
【００４５】
本実施形態にかかるチケット予約端末１００は，図２に示すように，チケット予約入力部１１０，リーダ／ライタ部１２０，認証部１３０，チケット予約実行部１４０などから構成される。
【００４６】
チケット予約入力部１１０は，ユーザが予約又は変更を希望するチケットを特定するための情報を入力するためのものである。例えば，タッチパネルによる入力部や，キーボードなどが含まれる。
【００４７】
リーダ／ライタ部１２０は，本実施形態にかかるカード１２２に情報を書き込み，及び情報を読み取る機能を有する。かかるリーダ／ライタ部１２０により，カード１２２内の情報記録部（ＩＣチップ又は磁気ストライプ）１２２６，１２２６’に格納されている例えばクレジットカード番号に関連する情報が読み出されて，チケット予約に必要なマイレージ番号を特定する情報として，チケット予約サーバ２００に提供される。
【００４８】
認証部１３０は，リーダ／ライタ部１２０により読み出されたクレジットカード番号に基づいて，カード１２２の認証をおこなうためのものである。認証部１３０により真正なカードと認証された場合のみチケットの予約処理の依頼を行うことができる。
【００４９】
チケット予約実行部１４０は，チケット予約入力部１１０より入力された予約を希望するチケット情報，及びリーダ／ライタ部１２０から取得されたクレジットカード番号に基づいて，チケット予約管理サーバ２００に対してチケットの予約を依頼するものである。
【００５０】
また，チケット予約端末１００に印刷部（図示せず）を設けることにより，ユーザが予約したチケット情報を印刷して保持することもできる。なお，チケット予約端末１００は，デスクトップコンピュータ，ノート型パーソナルコンピュータ，携帯型ユーザ端末装置以外にも，ｉモード（商標名）機能を有する携帯電話及びパーム等通信機能を有する端末も該当する。
【００５１】
本実施形態にかかるカード１２２は，図３に示ように，クレジットカード，マイレージカード及び電子マネーカードとしての機能が１つのカードにまとめられている例を示す。なお，図３（ａ）は，カードの表面を例示し，図３（ｂ）はカードの裏面を例示したものである。
【００５２】
カード１２２の表面は，図３（ａ）に示すように，情報表示機能部１２２１，クレジットカード番号１２２２，マイレージ番号１２２３，有効期限１２２４，などから構成される。
【００５３】
情報表示機能部１２２１は，チケット発券の際にチケット情報が印字される場合に使用される領域であり，先に印字されているチケット情報は消去されて新たなチケット情報が書き換え可能に構成されている。クレジットカード番号１２２２は，ユーザの所有するカードのクレジットカード番号を示す。マイレージ番号１２２３は，ユーザの所有するカードのマイレージ番号を示す。有効期限１２２４は，ユーザの所有するカードの有効期限を示している。
【００５４】
カード１２２の裏面は，図３（ｂ）に示すように，電子マネーカード番号１２２５，情報記録部１２２６，１２２６’，などから構成される。
【００５５】
電子マネーカード番号１２２５は，ユーザの所有するカードの電子マネーカード番号である。情報記録部１２２６，１２２６’は，情報の読み出し／書き込みが可能な領域であり，情報記録部１２２６は例えばＩＣチップからなり，情報記録部１２２６’は例えば磁気ストライプとすることができる。かかる情報記録部１２２６，１２２６’には，少なくともマイレージ番号と関連付けられたクレジットカード番号が記録されている。
【００５６】
次に，図４に基づいて，本実施形態にかかるチケット予約管理サーバ２００の構成について説明する。なお，図４は，本実施形態にかかるチケット予約管理サーバ２００の構成を示すブロック図である。なお，本実施形態にかかるチケット予約管理サーバ２００は，マイレージ番号とクレジットカード番号とを関連付けてチケット予約情報を管理するサーバ装置である。以下，説明する。
【００５７】
本実施形態にかかるチケット予約管理サーバ２００は，マイレージ情報管理部２１０，クレジットカード情報管理部２２０，マイレージ番号／クレジットカード番号対照テーブル２３０，チケット予約実行部２４０，チケット予約情報管理部２５０，チケット発券許可部２６０などから構成される。
【００５８】
マイレージ情報管理部２１０は，ユーザの所有するカードのマイレージ情報２１００が格納されている。マイレージ情報２１００は，図５に示すように，通番２１０１，マイレージ番号２１０２，氏名２１０３，住所２１０４，生年月日２１０５，マイル情報２１０６などから構成される。
【００５９】
通番２１０１は，マイレージ情報に付された通し番号である。マイレージ番号２１０２は，ユーザの所有する（マイレージ）カードを特定するマイレージ番号である。氏名２１０３は，カードの所有者の氏名である。住所２１０４は，カードを所有するユーザの住所である。生年月日２１０５は，カードを所有するユーザの生年月日である。積算マイルポイント２１０６は，今までに積算されたマイルポイントを示す。なお，マイルポイントは，実際に予約をしたチケットで登場した場合に積算され，チケットを予約しただけでは積算されることはない。
【００６０】
クレジットカード情報管理部２２０は，クレジットカード情報管理部２２０は，チケット予約端末１００から取得したクレジットカード番号に基づいて，外部サーバ（例えばクレジットカード発行会社のサーバ）４００に対して与信処理の依頼を行うものである。また，クレジットカードに関連する情報が格納されている。
【００６１】
クレジットカード情報２２００は，図６に示すように，通番２２０１，クレジットカード番号２２０２，有効期限２２０３などから構成される。通番２２０１は，クレジットカード情報に付された通し番号である。クレジットカード番号２２０２は，ユーザの所有する（クレジット）カードを特定する番号である。有効期限２２０３は，ユーザの所有する（クレジット）カードの有効期限である。
【００６２】
マイレージ番号／クレジットカード番号対照テーブル２３０は，図７に示すように，通番２３０１，カードのマイレージ番号２３０２，クレジットカード番号２３０３などから構成される。通番２３０１は，マイレージ番号／クレジットカード番号対照テーブルに付された通し番号である。マイレージ番号２３０２とクレジットカード番号２３０３は，上記説明と同様であるが，マイレージ番号／クレジットカード番号対照テーブル２３０は，ユーザの所有するカード１２２のマイレージ番号２３０２とクレジットカード番号２３０３とが対応されたデータとして構成されている。
【００６３】
チケット予約実行部２４０は，チケット予約端末１００の要求に応じて，チケットの予約状況を判断し，予約可能であればチケットの予約をおこなう。なお，チケット予約状況の判断は，チケット予約管理サーバ２００内のチケット予約管理部２５０のチケット予約情報に基づいて実行できるほか，他の外部サーバにアクセスしてチケット予約状況を判断することもできる。
【００６４】
チケット予約情報管理部２５０は，チケットの予約情報２５００が格納されている。チケット予約情報２５００は，図８に示すように，通番２５０１，マイレージ番号２５０２，予約チケット（フライト便２５０３，出発地２５０４，到着地２５０５，出発日２５０６，出発時刻２５０７）などから構成される。
【００６５】
通番２５０１は，チケット予約情報に付された通し番号である。マイレージ番号２５０２は，ユーザの所有するカードのマイレージ番号である。フライト番号２５０３は，予約したチケットの航空便を示す。出発地２５０４は，予約した航空便の出発空港を示す。到着地２５０５は，予約した航空便の到着空港を示す。出発日２５０６は，予約した航空便の出発日を示す。出発時刻２５０７は，予約した航空便の出発時刻を示す。
【００６６】
チケット発券許可部２６０は，チェックイン端末３００の要求に応じて，カードのクレジットカード番号から，当該クレジットカード番号に関連付けられたマイレージカード番号のチケット予約情報をチケット予約情報管理部２５０に照会し，チケットを発券することが可能か否かを判断する。発券可能であると判断すれば，チェックイン端末３００に対してチケットの発券を許可する。
【００６７】
次に，図９に基づいて，チェックイン端末３００の構成について説明する。なお，図９は，本実施形態にかかるチェックイン端末３００の構成を示すブロック図である。なお，本実施形態にかかるチェックイン端末３００は，カードからクレジットカード番号を読み出して，クレジットカード番号に関連付けられたマイレージカード番号のチケット予約情報をチケット予約管理サーバ２００に照会し，チケット発券を行うサーバ装置である。
【００６８】
本実施形態にかかるチェックイン端末３００は，図９に示すように，リーダ／ライタ部３１０，チケット予約照会部３２０，チケット発券部３３０などから構成される。
【００６９】
リーダ／ライタ部３１０は，本実施形態にかかるカード１２２に情報を書き込み，及び情報を読み取る機能を有する。かかるリーダ／ライタ部１２０により，カード１２２内の情報記録部（ＩＣチップ又は磁気ストライプ）１２２６，１２２６’に格納されている，例えば予約したチケットの照会に必要なクレジットカード番号に関連する情報が読み出される。
【００７０】
また，リーダ／ライタ部３１０に印字部（図示せず）を設けることにより，図１０に示すように，カードの情報記録部１２２１に発券チケットの情報を印字することもできる。このようにして，カード自体がチケットして発券されるのでカードを有効利用することができる。なお，カード１２２に発券チケット情報を印字する場合には，先に印字されているチケット情報は消去されて，新たなチケット情報が印字される。
【００７１】
チケット予約照会部３２０は，カード１２２から読み出されたクレジットカード番号に基づいて，対応するマイレージ番号に関連するチケット予約情報をチケット予約管理サーバ２００に照会するものである。
【００７２】
チケット発券部３３０は，チケット予約管理サーバ２００からチケット予約の確認が取れた場合に，予約されたチケットを発券するものである。例えばチケット用紙にチケット情報を印字してチケットを発券おこなう。
【００７３】
本実施形態においては，チケット予約情報がチケット予約管理サーバ側に保持されているので，ＩＣカード内の情報を書き換えずに，クレジットカード番号のみを使用して（マイレージ番号を読み込むことなく）チケットの予約，更新，発券をおこなうことができる。このように，ユーザの手間を増やすことのないチケット発券システムを提供することができる。さらに，クレジットカード番号が取得されるので，一枚のカードでチケットの予約，更新及び発券することが出来ると共に，チケット代金の決済が可能となり，ユーザの手間がさらに軽減される。
【００７４】
次に，図１１に基づいて，本実施形態にかかるチケットの予約方法について説明する。なお，図１１は，本実施形態にかかるチケット予約方法の動作フローを示すフローチャートである。
【００７５】
まず，ステップＳ１００で，ユーザは，希望するチケットの予約をする場合には，チケット予約端末１００のチケット予約入力部１１０からチケットを特定するための情報を入力すると共に，カード１２２をリーダ／ライタ部１２０にかざす（ステップＳ１００）。
【００７６】
次いで，ステップＳ１０２で，カード１２２の情報記録部１２２６，１２２６’に格納されているクレジットカード番号が読み出される（ステップＳ１０２）。このとき，カードがＩＣカードである場合には，ＩＣカードリーダライタにより例えば電磁波等を用いた非接触方式によりクレジットカード番号がＩＣチップ１２２６から読み出される。また，磁気ストライプ１２２６’にクレジットカード番号が格納されている場合には，磁気ストライプからクレジットカード番号が読み出される。また，リーダ／ライタ部１２０は，例えばＩＣカードから読み込んだデータを暗号化してチケット予約端末１００からネットワーク５００上に送出すれば，個人情報の漏洩も防止することができる。
【００７７】
その後，ステップＳ１０４で，カード１２２から読み出されたクレジットカード番号を，マイレージ番号に関連付けてチケット予約管理サーバ２００に対して送信し，ユーザが希望するチケットの予約を依頼する（ステップＳ１０４）。なお，このとき，チケット予約端末１００のチケット予約入力部１１０から入力された予約を希望するチケット情報も同時に送信される。
【００７８】
さらに，ステップＳ１０６で，チケット予約管理サーバ２００は，取得したクレジットカード情報に基づいてユーザの所有するカード１２２の与信依頼を外部サーバ（クレジットカード発行会社のサーバ）４００に依頼する（ステップＳ１０６）。なお，外部サーバ４００は，例えばクレジットカード発行会社のサーバ装置であり，クレジットカード会員の個人情報からなる会員情報を有する。
【００７９】
次いで，ステップＳ１０８で，外部サーバ（クレジットカード発行会社サーバ）４００は，上記会員情報（図示せず）に基づいて，クレジットカードの与信処理を実行する（ステップＳ１０８）。
【００８０】
さらに，ステップＳ１１０で，外部サーバ４００により当該クレジットカードが与信可であると判断された場合には，チケット予約管理サーバ２００は，クレジットカード番号とマイレージ番号を関連付けてチケットの予約を行うと共に，チケット予約情報として管理する（ステップＳ１１０）。なお，チケット予約状況の判断は，チケット予約実行部２４０がチケット予約管理部２５０のチケット予約情報に基づいて実行できるほか，他の外部サーバにアクセスしてチケット予約状況を判断することもできる。また，チケット予約情報は，チケット予約情報管理部２５０に格納される。
【００８１】
このとき，チケット予約管理サーバ２００は，取得したクレジットカード番号を用いてチケット予約に伴う決済処理を行うこともできる。このことにより，取得したクレジットカード番号によりチケット代金の決済が可能なので，ユーザの手間がさらに軽減される。なお，この場合には，ユーザが暗証番号を入力してカード認証を行うことにより，カードの安全性が担保される。
【００８２】
最後に，ステップＳ１１２で，チケットの予約が完了した旨がチケット予約端末１００に通知される（ステップＳ１１２）。なお，チケット予約端末１００の印刷部（図示せず）により予約したチケット情報を印刷することにより，ユーザはチケット予約情報を保持することができる。
【００８３】
本実施形態においては，ＩＣカード内の情報を書き換えずに，クレジットカード番号のみを使用して（マイレージ番号を読み込むことなく），ユーザの手間を増やすことなくチケットを予約することができる。
【００８４】
次に，図１２に基づいて，本実施形態にかかるチケットの発券方法について説明する。なお，図１２は，本実施形態にかかるチケット発券方法の動作フローを示すフローチャートである。
【００８５】
まず，ステップＳ２００で，チケットを予約したユーザは，チェックイン端末３００のリーダ部にカードをかざす（ステップＳ２００）。
【００８６】
次いで，ステップＳ２０２で，カード１２２の情報記録部１２２６，１２２６’に格納されているクレジットカード番号が読み出されて，チケット予約管理サーバ２００にチケット予約を照会する（ステップＳ２０２）。このとき，カードがＩＣカードである場合には，ＩＣカードリーダライタにより例えば電磁波等を用いた非接触方式により，例えばクレジットカード番号がＩＣチップ１２２６から読み出される。また，磁気ストライプ１２２６’にクレジットカード番号が格納されている場合には，磁気ストライプからクレジットカード番号が読み出される。また，リーダ／ライタ部１２０は，例えばＩＣカードから読み込んだデータを暗号化してチェックイン端末３００からネットワーク５００上に送出すれば，個人情報の漏洩も防止することができる。
【００８７】
その後，ステップＳ２０４で，チケット予約管理サーバ２００は，送信されたクレジットカード番号に基づいて対応するマイレージ番号を参照してチケット予約情報を検索し，検索されたチケット予約情報をチェックイン端末３００に送信して，チケットの発券を許可する（ステップＳ２０４）。なお，クレジット番号に対応するマイレージ番号の参照は，マイレージ番号／クレジットカード番号対照テーブル２３０に基づいて実行される。また，チケット発券を許可するか否かの判断は，チケット予約情報管理部２５０にマイレージ番号に対応するチケット予約情報を有するか否かで判断される。
【００８８】
最後に，ステップＳ２０６で，チェックイン端末３００は，チケットを発券する（ステップＳ２０６）。チケットの発券は，チェックイン端末３００のチケット発券部３３０が，例えば発券チケット用紙に発券情報を印字してチケットとして発券することができる。また，リーダ／ライタ部３１０に印字部（図示せず）を設けることにより，図１０に示したように，カードの情報記録部１２２１に発券チケットの情報を印字することもできる。なお，カード１２２に発券チケット情報を印字する場合には，先に印字されているチケット情報は消去されて，新たなチケット情報が印字される。
【００８９】
本実施形態においては，ＩＣカード内の情報を書き換えずに，クレジットカード番号のみを使用して（マイレージ番号を読み込むことなく）チケットを発券することができる。このように，ユーザの手間を増やすことなくチケット発券をおこなうことができる。
【００９０】
次に，図１３に基づいて，本実施形態にかかるチケットの更新方法について説明する。なお，図１３は，本実施形態にかかるチケット更新方法の動作フローを示すフローチャートである。
【００９１】
まず，ステップＳ３００で，ユーザは，チケットの変更を希望する場合には，チケット予約端末１００のチケット予約入力部１１０から変更するチケットを特定するための情報を入力すると共に，カード１２２をリーダ／ライタ部１２０にかざす（ステップＳ３００）。
【００９２】
次いで，ステップＳ３０２で，カード１２２の情報記録部１２２６，１２２６’に格納されているクレジットカード番号が読み出されて，カード認証される（ステップＳ３０２）。このとき，カードがＩＣカードである場合には，ＩＣカードリーダライタにより例えば電磁波等を用いた非接触方式により，例えばクレジットカード番号がＩＣチップ１２２６から読み出される。また，磁気ストライプ１２２６’にクレジットカード番号が格納されている場合には，磁気ストライプからクレジットカード番号が読み出される。また，リーダ／ライタ部１２０は，例えばＩＣカードから読み込んだデータを暗号化してチケット予約端末１００に送信して，ネットワーク５００上に送出すれば，個人情報の漏洩も防止することができる。
【００９３】
その後，ステップＳ３０４で，カード１２２から読み出されたクレジットカード番号を，マイレージ番号に関連付けてチケット予約管理サーバ２００に対して送信し，ユーザが希望するチケットの更新を依頼する（ステップＳ３０４）。なお，このとき，チケット予約端末１００のチケット予約入力部１１０から入力された変更を希望するチケット情報も同時に送信される。
【００９４】
さらに，ステップＳ３０６で，チケット予約管理サーバ２００は，取得したクレジットカード情報に基づいてユーザの所有するカード１２２の与信依頼を外部サーバ（クレジットカード発行会社のサーバ）４００に依頼する（ステップＳ３０６）。なお，外部サーバ４００は，例えばクレジットカード発行会社のサーバ装置であり，クレジットカード会員の個人情報からなる会員情報を有する。
【００９５】
次いで，ステップＳ３０８で，外部サーバ（クレジットカード発行会社サーバ）４００は，上記会員情報（図示せず）に基づいて，クレジットカードの与信処理を実行する（ステップＳ３０８）
【００９６】
さらに，ステップＳ３１０で，外部サーバ４００により当該クレジットカードが与信可であると判断された場合には，チケット予約管理サーバ２００は，チケットの予約の更新が可能か否かを判断する（ステップＳ３１０）。なお，チケットが変更可能か否かの判断は，チケット予約実行部２４０がチケット予約管理部２５０のチケット予約情報に基づいて実行できるほか，他の外部サーバにアクセスしてチケット予約状況を判断することもできる。
【００９７】
その後，ステップＳ３１２で，チケットの変更が可能であると判断された場合には，チケットの予約情報の更新を行う（ステップＳ３１２）。チケット予約情報の更新は，チケット予約情報管理部２５０内の変更前のチケット予約情報は削除されて，新たに変更後のチケット予約情報が書き換えられる。
【００９８】
なお，このとき，チケット予約管理サーバ２００は，チケット変更に伴う費用が発生した場合には，取得したクレジットカード番号を用いてチケット予約更新に伴う費用の決済処理を行うこともできる。このことにより，取得したクレジットカード番号によりチケット変更費用の決済が可能なので，ユーザの手間がさらに軽減される。
【００９９】
最後に，ステップＳ３１４で，予約チケットの更新が完了した旨がチケット予約端末１００に通知される（ステップＳ３１４）。なお，チケット予約端末１００の印刷部により更新したチケット情報を印刷することにより，ユーザは変更後のチケット予約情報を保持することができる。
【０１００】
本実施形態においては，例えば航空券のチケット予約情報が，頻繁に変更され，あるいはフライト直前に変更された場合であっても，ユーザ手間を増やすことなく，簡易にチケット予約の変更をすることができる。
【０１０１】
以上，本発明に係る好適な実施の形態について説明したが，本発明はかかる構成に限定されない。当業者であれば，特許請求の範囲に記載された技術思想の範囲内において，各種の修正例および変更例を想定し得るものであり，それらの修正例および変更例についても本発明の技術範囲に包含されるものと了解される。
【０１０２】
例えば，上記実施形態においては，クレジットカード番号を使用してマイレージ番号を特定する構成を例に挙げて説明したが，かかる例には限定されない。例えば，電子マネーカード番号を使用してマイレージカードを特定するように構成することもできる。この場合には，カード側に電子マネーカード情報を保持しておくことにより，直接カードから即時決済することができる。また，カードの与信処理が不要であるので，短期決済をおこなうことができる。
【０１０３】
また，上記実施形態においては，航空機チケットの発券を例に挙げて説明したが，例えば到着地あるいは目的地におけるタクシー予約などもおこなうことができる。
【０１０４】
また，上記実施形態においては，航空チケットを発券するシステムを例に挙げて説明したが，かかる例には限定されない。各種チケットを予約するためのカード会員番号やカード識別番号によりチケットを発券することが可能であれば，クレジットカード番号あるいは電子マネーカード番号と対応付けて，本発明を実施することができる。
【０１０５】
【発明の効果】
チケット予約情報がサーバ側に保持されているので，ＩＣカード内の情報を書き換えずに，クレジットカード番号のみを使用して（マイレージ番号を読み込むことなく）ユーザの手間を増やさずにチケットの予約，更新，発券をおこなうことができる。さらに，クレジットカード番号が取得されるので，一枚のカードでチケットの予約，更新及び発券することが出来ると共に，チケット代金の決済が可能となり，ユーザの手間がさらに軽減される。特に，マイルポイントが積算される場合にその効果が大きい。
【図面の簡単な説明】
【図１】図１は，第１の実施の形態にかかるチケット発券システムの構成を示すブロック図である。
【図２】第１の実施の形態にかかるチケット予約端末１００の構成を示すブロック図である。
【図３】第１の実施の形態にかかるカード１２２の構成を示す説明図である。
【図４】第１の実施の形態にかかるチケット予約管理サーバ２００の構成を示すブロック図である
【図５】第１の実施の形態にかかるマイレージ情報２１００の構成を示す説明図である。
【図６】第１の実施の形態にかかるクレジットカード情報２２０の構成を示す説明図である。
【図７】第１の実施の形態にかかるマイレージ番号／クレジットカード番号対照テーブル２３０の構成を示す説明図である。
【図８】第１の実施の形態にかかるチケットの予約情報２５００の構成を示す説明図である。
【図９】第１の実施の形態にかかるチェックイン端末３００の構成を示すブロック図である。
【図１０】第１の実施の形態にかかるカードの情報記録部１２２１に発券チケット情報が印字された状態を示す説明図である。
【図１１】第１の実施の形態にかかるチケット予約方法の動作フローを示すフローチャートである。
【図１２】第１の実施の形態にかかるチケット発券方法の動作フローを示すフローチャートである。
【図１３】第１の実施の形態にかかるチケット更新方法の動作フローを示すフローチャートである。
【符号の説明】
１００  チケット予約端末
１１０  チケット予約入力部
１２０  リーダ／ライタ部
１２２  カード
１３０  認証部
１４０  チケット予約実行部
２００  チケット予約管理サーバ
２１０  マイレージ情報管理部
２２０  クレジットカード情報管理部
２３０  マイレージ番号／クレジットカード番号対照テーブル
２４０  チケット予約実行部
２５０  チケット予約情報管理部
２６０  チケット発券許可部
３００  チェックイン端末
３１０  リーダ／ライタ部
３２０  チケット予約照会部
３３０  チケット発券部
４００  外部サーバ（発行会社サーバ）
５００  ネットワーク
２１００  マイレージ情報
２２００  クレジットカード情報
２５００  チケット予約情報
【図１】
2004265084.tif 000003
【図２】
2004265084.tif 000004
【図３】
2004265084.tif 000005
【図４】
2004265084.tif 000006
【図５】
2004265084.tif 000007
【図６】
2004265084.tif 000008
【図７】
2004265084.tif 000009
【図８】
2004265084.tif 000010
【図９】
2004265084.tif 000011
【図１０】
2004265084.tif 000012
【図１１】
2004265084.tif 000013
【図１２】
2004265084.tif 000014
【図１３】
2004265084.tif 000015